(57)【特許請求の範囲】
【請求項１】
撮像に係る矩形のＣＣＤを有するカメラ部と、画像表示を行うモニタ部と、グリップ部を有する機器本体部とを備え、前記モニタ部は前記機器本体部に対して開閉回動を行うことが可能にしてあるビデオカメラであって、
前記カメラ部は、前記開閉回動に係る回動軸を中心にして回動可能に前記機器本体部に取り付けてあり、
前記モニタ部の開閉回動の範囲は、略９０度に規制してあり、
前記モニタ部は、前記開閉回動に前記カメラ部が一体的に回動するように前記カメラ部に連結してあり、
前記ＣＣＤは、閉じた状態の前記モニタ部の表示面に対して該ＣＣＤの対向する二辺が夫々直交的になるように前記カメラ部に取り付けてあることを特徴とするビデオカメラ。
【請求項２】
前記モニタ部は回転機構を介して前記カメラ部に連結してあり、
該回転機構は、前記回動軸に対し直交する軸を中心に回転することが可能であることを特徴とする請求項１に記載のビデオカメラ。
【請求項３】
前記回動軸は、前記カメラ部又は前記機器本体部の一方に設けてあり、
前記カメラ部又は前記機器本体部の他方に、前記回転軸に嵌合する嵌合孔が形成してあることを特徴とする請求項１又は請求項２に記載のビデオカメラ。
【請求項４】
前記機器本体部は前記カメラ部の周面に対向する１面を有しており、
前記カメラ部の周面には、
前記モニタ部が閉じた時に、前記１面と略平行に対向して当接する第１平面と、
該第１平面に直交的であり、前記モニタ部が開いた時に、前記１面と略平行に対向して当接する第２平面と、
前記第１平面及び第２平面に連続し、前記回動軸と同心である略円筒面と
が形成してあることを特徴とする請求項１乃至請求項３のいずれか１つに記載のビデオカメラ。
【請求項５】
前記ＣＣＤの対向する二辺は、短辺であることを特徴とする請求項１乃至請求項４のいずれか１つに記載のビデオカメラ。
【請求項６】
前記機器本体部に固着してあるビューファインダを備えることを特徴とする請求項１乃至請求項５のいずれか１つに記載のビデオカメラ。
【発明の詳細な説明】
【０００１】
【発明の属する技術分野】
本発明は、ビデオカメラに関し、特に様々な姿勢にて撮影することが可能な装置に用いて好適なビデオカメラに関する。
【０００２】
【従来の技術】
従来の技術について、特開平８−１２５８９０号公報に開示されたものに基づき説明する。
【０００３】
図６乃至図１２において、２はビデオカメラ１の本体部であり、該本体部２は合成樹脂によって形成され、前方を向いた側面には被写体撮影用のレンズ３や図示しない内蔵マイク等が取着されており、後方を向いた側面には撮影時のスタート／ストップスイッチ４等が設けられ、そして、右側面５にはビデオカメラを保持するためのグリップベルト６が取着されている。
【０００４】
そして、本体部２の左側面７には前方及び上方に段部８及び９が形成されることによって、左方、後方及び下方に開口した凹部１０が形成されている。
【０００５】
また、上記段部８の上下方向における略中間の位置において、凹部１０の上下の幅の略３分の１程度の範囲が更に前方に向かって伸びる凹部１１が形成され、後述するヒンジユニットを収納するための収納凹部となっている。
【０００６】
１２はＥＶＦ（Ｅｌｅｃｔｒｏｎｉｃ  Ｖｉｅｗ  Ｆｉｎｄｅｒ）であり、中央部に稍横長の開口１４を有する合成樹脂製の枠体１３に、該枠体１３の背面側から３乃至４インチ程度のＬＣＤパネル１５が取着固定され、このＬＣＤパネル１５の背面カバー１６によって覆われ、従って、ＬＣＤパネル１５は枠体１３と背面カバー１６とによって前後から挟まれ、開口１４から表示面１５ａが露出するようになっている。
【０００７】
図９乃至図１２に示すように、１７は前記ＥＶＦ１２を本体部２に連結支持する金属製の連結ユニットであり、ＥＶＦ１２の水平方向への回動及び該回動軸と直交した軸を中心とする回動（回転）を可能とするものである。
【０００８】
１８は開閉ブラケットであり、金属板を縦断面形状で略コ字状に折り曲げて成り、水平方向に伸びた上下の端部は外縁部の角が落とされて丸くされた支持片１８ａ、１８ａとされ、該支持片１８ａ、１８ａに挟まれた中間の部分が固定片１８ｂとされている。
【０００９】
また、上記支持片１８ａ、１８ａには後述する開閉連結ユニットの回動軸を嵌合してこれを回動自在に支持する支持孔１８ｃ、１８ｃが形成されている。
【００１０】
そして、上記開閉ブラケット１８は前記収納凹部１１内に、図１１に示すように、本体部２の表面に対して凹部となっている収納凹部１１の底面である側面１１ｂに、例えば、ビス止め等の適宜な方法によって固定片１８ｂを固定し、これによって支持片１８ａ、１８ａが対向して水平方向に伸びるように配置されている。
【００１１】
１９は開閉ヒンジユニットであり、上記開閉ブラケット１８と同様に、金属板を縦断面形状で略コ字状に折り曲げて成るものであり、水平方向に平行して伸びる上下の両端部が被支持片１９ａ、１９ａであり、該被支持片１９ａ、１９ａの間で垂直方向に伸びる部分が回転支持部１９ｂである。
【００１２】
また、被支持片１９ａ、１９ａの外縁部は角が落とされて丸く形成され、中央にはそれぞれ上方又は下方へ向かって突出した回動軸２０、２０が一体的に形成されている。
【００１３】
更に、回転支持部１９ｂの中心部には挿通孔２１が形成されている。尚、該挿通孔２１の内径は、後述する回転ユニットの軸部材の外径より稍大きい程度とされている。
【００１４】
そして、開閉ヒンジユニット１９は、開閉ブラケット１８に収納凹部１１内で支持孔１８ｃ、１８ｃ内に回動軸２０、２０が挿入されることによって上下から挟まれるようにして支持され、これによって、開閉ヒンジユニット１９は垂直方向に伸びる回動軸２０、２０を中心として水平方向に回動自在となる。
【００１５】
２２は回転ユニットであり、略円筒状の基部２３と軸部材２４とから成るものである。
【００１６】
即ち、該回転ユニット２２の基部２３の一端には円盤状の取付フランジ２３ａが一体に成形され、中心部を一端から他端まで軸方向に貫通した支持孔２３ｂが両端に開口している。
【００１７】
また、軸部材２４は基部２３の支持孔２３ｂの内径より僅かに小さい外径、つまり、後述するように支持孔２３ｂ内において回転自在となる程度の外径を有し、一端部には板状で横断面形状が略Ｌ字状をした取付ブラケット２５がその一方の片２５ａが軸部材２４の軸方向に直交するように、即ち、フランジ状となるように一体的に取着され、他方の片２５ｂが一方の片２５ａの一側縁から軸部材２４の軸方向に且つ軸部材２４の突出方向と反対の方向に伸びるようにされ、また、軸部材２４の他端部には後述するｅリングの位置を固定するため係止溝２４ａが周方向に形成されている。
【００１８】
２６はカバー体であり、図９に示すように、一方が開口した長方形の箱状を為し、上下の壁部２６ａ、２６ｂの開口縁には切欠２７、２７が形成され、閉塞端２６ｃの中央には縦長長方形の開口２８が形成されている。
【００１９】
以上のような構成を有する回転ユニット２２は、基部２３の反取付フランジ２３ａ側の支持孔２３ｂの開口から軸部材２４を、取付ブラケット２５が取着された側と反対側から挿入して取付ブラケット２５の一方の片２５ａと基部２３の端面とが当接するようにする。
【００２０】
次に、上記したように一体化された回転ユニット２２を開閉ヒンジユニット１９の回転支持部１９ｂに取着する。
【００２１】
即ち、開閉ヒンジユニット１９の回転支持部１９ｂに形成された挿通孔２１に、回転支持部１９ｂの被支持片１９ａ、１９ａが水平方向に突出した側から、上記したように組み立てた回転ユニット２２の軸部材２４を挿入し、挿通孔２１の開口縁に取付フランジ２３ａを当接させて、取付フランジ２３ａを回転支持部１９ｂに図示しないビス止め等の適宜な方法によって固定する。
【００２２】
そして、回転支持部１９ｂの挿通孔２１から突出した軸部材２４の係止溝２４ａにｅリング２９を係止することによって貫け止めを為す。
【００２３】
そして最後に、図１１及び図１２に示すように、カバー体２６を連結ユニット１７の略全体を覆うように開閉ヒンジユニット１９に取付ブラケット２５が突出した側から外嵌すると、切欠２７、２７を通して回動軸２０、２０が上下に突出し、開口２８から回転ユニット２２の軸部材２４の先端の取付ブラケット２５が突出するようになる。
【００２４】
このようにして、開閉ヒンジユニット１９と回転ユニット２２とが、図１０乃至図１２に示すように一体化され、取付ブラケット２５が開閉ヒンジユニット１９の回動軸２０、２０を支点として水平方向に回動自在となり、同時に、回動軸２０、２０と直交した方向に延びる回転ユニット２２の軸部材２４を回転軸として回転自在となる。
【００２５】
尚、ＥＶＦ１２は取付ブラケット２５に取着されて支持されることとなるが、例えば、詳しい図示は省略するが、取付ブラケット２５の一方の片２５ａ及び他方の片２５ｂにビス孔を形成する等して、一方の片２５ａが枠体１３に、他方の片２５ｂが背面カバー１６にビス止めされる。
【００２６】
【発明が解決しようとする課題】
従来の装置によれば、ビデオカメラの本体部に対し電子ビューファインダーを開閉及び回転自在に取着することによって、電子ビューファインダーの視認性を高めたビデオカメラを実現することができる。
【００２７】
ところで、ユーザーは、時には異なった姿勢で撮影したいという欲求にかられることがある。
【００２８】
例えば、カメラ本体を垂直方向にして撮影したり、カメラ本体を水平方向にして撮影したいということがある。
【００２９】
ところが、従来装置での撮影では、本体２が常に地面に対し垂直方向での撮影となり、水平方向にして撮影すると電子ビューファインダーや外部のディスプレイに表示される被写体は、横向きに表示されるという問題があった。
【００３０】
【課題を解決するための手段】
本発明は、撮像に係る矩形のＣＣＤを有するカメラ部と、画像表示を行うモニタ部と、グリップ部を有する機器本体部とを備え、前記モニタ部は前記機器本体部に対して開閉回動を行うことが可能にしてあるビデオカメラであって、前記カメラ部は、前記開閉回動に係る回動軸を中心にして回動可能に前記機器本体部に取り付けてあり、前記モニタ部の開閉回動の範囲は、略９０度に規制してあり、前記モニタ部は、前記開閉回動に前記カメラ部が一体的に回動するように前記カメラ部に連結してあり、前記ＣＣＤは、閉じた状態の前記モニタ部の表示面に対して該ＣＣＤの対向する二辺が夫々直交的になるように前記カメラ部に取り付けてあることを特徴とする。
【００３１】
また、前記モニタ部は回転機構を介して前記カメラ部に連結してあり、該回転機構は、前記回動軸に対し直交する軸を中心に回転することが可能であることを特徴とする。
【００３２】
また、前記回動軸は、前記カメラ部又は前記機器本体部の一方に設けてあり、前記カメラ部又は前記機器本体部の他方に、前記回転軸に嵌合する嵌合孔が形成してあることを特徴とする。
【００３３】
また、前記機器本体部は前記カメラ部の周面に対向する１面を有しており、前記カメラ部の周面には、前記モニタ部が閉じた時に、前記１面と略平行に対向して当接する第１平面と、該第１平面に直交的であり、前記モニタ部が開いた時に、前記１面と略平行に対向して当接する第２平面と、前記第１平面及び第２平面に連続し、前記回動軸と同心である略円筒面とが形成してあることを特徴とする。
さらに、前記ＣＣＤの対向する二辺は、短辺であることを特徴とする。
さらに、また、前記機器本体部に固着してあるビューファインダを備えることを特徴とする。
【００３４】
【発明の実施の形態】
本発明の一実施形態について、図１乃至図５に基づき以下説明する。
【００３５】
図１は本発明のビデオカメラの本体部１を水平方向にして使用する場合の斜視図であり、図１（ａ）はモニタ部２が開いた状態の図、図１（ｂ）はモニタ部２が閉じた状態の図、図２は本体部１を垂直方向にした場合の斜視図、図３は本発明のビデオカメラでの撮影状態の１具体例を示す図であり、図３（ａ）は本体部１を垂直方向にして通常撮影する場合を示す図、図３（ｂ）は本体部１を垂直方向にして対面撮影（ユーザーが自分自身を撮影）する場合を示す図、図４は本発明を説明するための図、図５は本発明を説明するための図である。
【００３６】
なお、本発明のビデオカメラは、カメラ部３にて撮影された信号を例えば、ディスクや半導体メモリ等の記憶媒体に記録するビデオカメラであり、本発明においては、記憶媒体にディスクを用いた例で説明する。
【００３７】
最初に、本発明のビデオカメラの構成を説明する。
【００３８】
図１（ａ），図１（ｂ），図５において、本発明のビデオカメラは、記録再生手段を備える機器の本体部である本体部１、本体部１に設けられたディスク挿入口１ａ，ディスク挿入口の蓋である蓋１ｂ，グリップ部１ｃ，本体部１の１ｄ、画像を表示するモニタ部２、モニタ部２に設けられ画像を表示する面となる表示面２ａ、被写体を撮像するカメラ部３、カメラ部３に設けられ後述する回動軸４ａと嵌合する嵌合孔３ａ，カメラ部３の面３ｂ，３ｃ，３ｄ、本体部１に固着されるビューファインダ４、ビューファインダ４に固着された回動軸４ａ、マイク５、ズーム操作を行うズーム釦６、モニタ部２とカメラ部３とに連結される回転機構７を備える。
【００３９】
次に、図１（ａ），図１（ｂ）において、本体部１には撮像時に被写体を確認するビューファインダ４が固着されている。
【００４０】
ビューファインダ４には、回動軸４ａが固着され、更に、回動軸４ａにはカメラ部３に設けられた嵌合孔３ａが嵌合されることで、カメラ部３は、回動軸４ａを中心に矢印Ａ方向に回動可能に、ビューファインダ４に取付けられている。
【００４１】
また、カメラ部３には回転機構７が連結され、回転機構７にモニタ部２が連結されることで、モニタ部２は、回転機構７を中心に矢印Ｂ方向に回動可能に、回転機構７を介してカメラ部３に連結されている。
【００４２】
なお、回転機構７については、従来例で説明した機構や製品としても既に存在しており、公知の技術で実現され、具体的な説明は省略する。
【００４３】
次に動作説明をする。図１（ａ），図１（ｂ）は本体部１を水平方向にして撮像あるいは再生する場合の１具体例の斜視図である。
【００４４】
図１（ｂ）に示すように、通常、モニタ部２は閉じた状態で収納されている。ここで、図１（ｂ）においては、モニタ部２の表示面２ａは、表側に収納されているが、モニタ部２とカメラ部３とに連結された回転機構７により、モニタ部２は１８０°回転可能であり、表示面２ａを中側、裏面を表側に収納することもできる。
【００４５】
次に、図１（ｂ）の状態から、モニタ部２を矢印Ｃ方向に略９０°開くと、モニタ部２とカメラ部３とに連結された回転機構７を介して、カメラ部３も回動し、図１（ａ）のように、モニタ部２が開くとともに、カメラ部３も連動して回動する。
【００４６】
但し、図１（ａ）は、更にモニタ部２を１８０°回転した状態である。なお、図示はしていないがモニタ部２とカメラ部３には、一方にロック孔、他方にバネ部材とロック部材を設けた所謂セルフロック機構が設けられ、モニタ部２のガタを防止している。
【００４７】
次に、蓋１ｂを開けディスク挿入口１ａより、ディスク（図示せず）を装着し、蓋１ｂを閉めることで記憶媒体が装着され、カメラ部３にて撮像された信号を記録することができる。
【００４８】
撮影は、図１（ｂ）の状態のように、モニタ部２を閉じビューファインダ４にて、被写体を確認しながら撮影する。
【００４９】
更に、ビデオカメラを人体上部の高さまで持ち上げることなく、グリップ部１ｃを掴みながら、人体の低い手先位置のまま、モニタ部２を上から確認しながら撮影するということもできる。
【００５０】
また、本体部１を水平方向にした撮影においては、ビデオカメラを物の上に置いたまま撮影するということもできる。
【００５１】
再生は、図１（ａ），図１（ｂ）の状態、図１（ａ）の状態からモニタ部２を回動した状態、図１（ｂ）の状態から本体部１を垂直方向に立てた状態等、様々な状態で再生することができる。
【００５２】
次に、図２，図３に基づき本体部１を垂直方向にして撮影する場合について説明する。
【００５３】
図２の状態からモニタ部２を矢印Ｄ方向に略９０°開くと、モニタ部２とカメラ部３とに連結された回転機構７を介して、カメラ部３も回動し、カメラ部３は図３（ａ），図３（ｂ）の状態となる。
【００５４】
図３（ａ）は、更にモニタ部２を矢印Ｅ方向に略９０°回動したものであり、図３（ｂ）は矢印Ｆ方向に略９０°回動したものである。
【００５５】
図３（ａ）の状態にすることで、本体部１を垂直方向にして通常撮影が可能となり、また、図３（ｂ）の状態にすることで、本体部１を垂直方向にして対面撮影（ユーザーが自分自信を撮影）が可能となる。
【００５６】
なお、グリップ部１ｃに指を入れることでビデオカメラをしっかり把持することができる。
【００５７】
なお、以上の説明において、回動軸４ａをビューファインダ４に固着し、嵌合孔３ａをカメラ部３に設けた例で説明したが、回動軸４ａをカメラ部３に固着し、嵌合孔３ａをビューファインダ４に設けても、同様の回動が可能である。
【００５８】
更に、ビューファインダ４を用いず、本体部１を延長して、回動軸４ａや嵌合孔３ａを設けてもよい。
【００５９】
図４に基づき本発明の要旨を説明する。図４は、カメラ部３に取付けられるＣＣＤの配置と、カメラ部３の回動とＣＣＤの位置関係を示す図である。
【００６０】
まず、図４（ａ）に示すように、図１（ｂ）におけるカメラ部３の状態におけるＣＣＤの取付位置は水平位置に取付けられている。
【００６１】
次に、図４（ｂ）に示すように、図１（ａ）のようにカメラ部３が略９０°回動すると、ＣＣＤも略９０°回動した位置となる。また、図２の状態においても図１（ａ）と同じ状態である。
【００６２】
次に、図４（ｂ）に示すような図２の状態から、図４（ａ）に示すような図３（ａ），図３（ｂ）の状態に、カメラ部３が略９０°回動すると、ＣＣＤも略９０°回動した位置となって水平位置となり、図１（ｂ）のように本体部１が水平状態、図３（ａ），図３（ｂ）のように、本体部１が垂直状態のいずれにおいても、問題なく撮像された画像を表示することが可能なビデオカメラを実現できる。
【００６３】
図５に基づき本発明の更なる要旨を説明する。図５からも解かるように、本発明のカメラ部３の形状は、図５（ｂ）に示すように、モニタ部２を閉じた時に、本体部１の１面１ｄと略平行となる面３ｂと、図５（ａ）に示すように、モニタ部２を開いた時に、本体部１の１面１ｄと略平行となる面３ｃと、回動軸４ａと同心の略円筒面３ｄを有している。
【００６４】
従って、モニタ部２の回動に支障をきたすことがないのは勿論のこと、更に、モニタ部２を閉じた時及びモニタ部２を開いた時、カメラ部３と本体部１とをぴったりと当接することが実現でき、操作性のよいビデオカメラを実現できる。
【００６５】
【発明の効果】
本願請求項１に記載のビデオカメラによれば、モニタ部の回動に連動してカメラ部を回動することで、ビデオカメラ本体を垂直方向にして撮影したり、水平方向にして撮影したりすることができ、操作性の向上したビデオカメラを実現することができる。
【００６６】
本願請求項２に記載のビデオカメラによれば、垂直方向にして撮影したり、水平方向にして撮影したりすることができるビデオカメラを実現する効果に加えて、通常撮影や対面撮影が可能なビデオカメラを実現することができる。
【００６７】
本願請求項３に記載のビデオカメラによれば、比較的簡単な構成でモニタ部の回動に連動して、カメラ部を回動することのできるビデオカメラを実現することができる。
【００６８】
本願請求項４に記載のビデオカメラによれば、モニタ部の回動に支障をきたすことなく、更に、モニタ部を閉じた時及びモニタ部を開いた時、カメラ部と本体部とをぴったりと当接することが実現でき、操作性のよいビデオカメラを実現できる。
また、本願請求項５に記載のビデオカメラによれば、カメラ部が備える矩形のＣＣＤを、モニタ部の表示面に対して矩形の短辺が直交的になるように配置することで、本体部が水平状態又は垂直状態のいずれにおいても、問題なく撮像された画像を表示することが可能なビデオカメラを実現できる。
さらに、本願請求項６に記載のビデオカメラによれば、ビューファインダと本体部との位置関係を固定できる。
【図面の簡単な説明】
【図１】本発明のビデオカメラの本体部１を水平方向にして使用する場合の斜視図であり、図１（ａ）はモニタ部２が開いた状態の図、図１（ｂ）はモニタ部２が閉じた状態の図である。
【図２】本発明のビデオカメラの本体部１を垂直方向にした場合の斜視図である。
【図３】本発明のビデオカメラでの撮影状態の１具体例を示す図であり、図３（ａ）は本体部１を垂直方向にして通常撮影する場合を示す図、図３（ｂ）は本体部１を垂直方向にして対面撮影（ユーザーが自分自身を撮影）する場合を示す図である。
【図４】本発明のビデオカメラにおいて、カメラ部３に取付けられるＣＣＤの配置と、カメラ部３の回動とＣＣＤの位置関係を示す図である。
【図５】本発明のビデオカメラの斜視図であり、図５（ａ）はモニタ部を開いた状態を示す図であり、図５（ｂ）はモニタ部を閉じた状態を示す図である。
【図６】従来のビデオカメラの使用状態を示す斜視図である。
【図７】ＥＶＦが収納された状態を示す斜視図である。
【図８】ＥＶＦを図２とは逆の向きで収納した状態を示す斜視図である。
【図９】要部の分解斜視図である。
【図１０】要部の拡大水平断面図である。
【図１１】図１０のＶＩ−ＶＩ線に沿う断面図である。
【図１２】図１１のＶＩＩ−ＶＩＩ線に沿う断面図である。
【符号の説明】
１  本体部
１ａ  ディスク挿入口
１ｂ  蓋
１ｃ  グリップ部
１ｄ  １面
２  モニタ部
２ａ  表示面
３  カメラ部
３ａ  嵌合孔
３ｂ，３ｃ，３ｄ  面
４  ビューファインダ
４ａ  回動軸
５  マイク
６  ズーム釦
７  回転機構
【図１】
0003781602.tif 000002
【図２】
0003781602.tif 000003
【図３】
0003781602.tif 000004
【図４】
0003781602.tif 000005
【図５】
0003781602.tif 000006
【図６】
0003781602.tif 000007
【図７】
0003781602.tif 000008
【図８】
0003781602.tif 000009
【図９】
0003781602.tif 000010
【図１０】
0003781602.tif 000011
【図１１】
0003781602.tif 000012
【図１２】
0003781602.tif 000013